(57)【要約】      （修正有）【課題】撮影した画像を、更新された商品情報と関連付けて管理する画像管理システムを提供する。【解決手段】店舗システム１０８は、通信網を介して複数の情報処理端末、商品情報サーバ装置、情報配信サーバ装置とデータを送受信する送受信機２０２と、試着された商品の画像等を撮影するデジタルカメラ等の撮像装置２０４と、商品に付されたＩＣタグから商品を識別する商品識別情報を読み取るリーダー２０６と、商品識別情報によって特定される商品に関する情報や撮像装置２０４によって撮像された画像を表示するディスプレイ２０８と、制御部２１０とから構成される。【選択図】図２
2012113583.tif 000002
【特許請求の範囲】
【請求項１】
所定の撮影場所に設置され、商品に付された商品識別情報を読み取る読み取り手段と、
前記撮影場所に前記読み取り手段と電気的に接続されて設置され、前記読み取り手段が前記商品識別情報を読み取ったことに応じて起動される撮像手段と、
前記撮像手段によって撮像された画像情報を前記商品識別情報と対応付けて記憶する第１記憶手段と、
前記商品識別情報と対応付けて前記商品に関する商品情報を更新可能に記憶する第２記憶手段と、
前記第１及び第２の記憶手段と電気的に接続され、情報処理端末からの前記画像情報の取得要求に応じて、前記画像情報と、当該画像情報に対応する商品識別情報と対応付けられた商品情報と、を前記情報処理端末に送信する送信手段と、を含む画像管理システム。
【請求項２】
前記第１記憶手段が、前記商品識別情報及び前記画像情報と対応付けて前記撮像場所を特定する撮影場所特定情報を記憶する請求項１に記載の画像管理システム。
【請求項３】
前記商品情報は、少なくとも当該商品の価格、在庫数のいずれか一方を含む請求項１に記載の画像管理システム。
【請求項４】
前記撮影場所に設置され、前記撮像手段により撮像された画像情報を表示する表示手段をさらに含む請求項１に記載の画像管理システム。
【発明の詳細な説明】
【技術分野】
【０００１】
本発明は、撮影した画像を管理する画像管理システムに関する。
【背景技術】
【０００２】
試着室において商品を試着した姿を撮影し、この撮影した画像を試着した服に関する情報とともに印刷するシステムの開示例がある。例えば、特開２００６−７９１４３号公報（特許文献１）には、試着室で撮影した試着者の画像を、試着した商品に関する商品情報と関連付けて記憶することで、撮影した画像のデータと商品情報を効率よく管理することを目指したシステムが開示されている。このシステムでは、この画像及び商品情報を含むデータを顧客の要望に応じて印刷することで、当該商品の販売促進も図っている。
【先行技術文献】
【特許文献】
【０００３】
【特許文献１】特開２００６−７９１４３号公報
【発明の概要】
【発明が解決しようとする課題】
【０００４】
上述した従来のシステムにおいては、撮影した画像と対応付けられているのは、当該画像の撮影時における商品情報であるため、在庫数や販売価格等の随時更新される商品情報を管理することができない。したがって、画像及び商品情報が印刷された印刷物を所定時間経過後に見る場合には、その印刷物に掲載されている商品情報は依然として撮影時のものであるため、販売促進の観点から不都合がある。例えば、印刷物に記載された商品情報を頼りにその撮影が行われた店舗を訪れても当該商品が欠品になっているおそれがある。また、価格変更により撮影時よりも当該商品が安価になった場合であっても、印刷物に掲載されている価格は撮影時のままであるため、実際の売値よりも高く表示された価格のために潜在的な顧客が購入を断念する可能性がある。
【０００５】
本発明の様々な実施形態は、撮影した画像を、更新された商品情報と関連付けて管理する画像管理システムを提供する。本発明のその他の課題は、本明細書及び添付図面の記載等から理解される。
【課題を解決するための手段】
【０００６】
本発明の一実施態様に係る画像管理システムは、所定の撮影場所に設置され、商品に付された商品識別情報を読み取る読み取り手段と、前記撮影場所に前記読み取り手段と通信可能に設置され、前記読み取り手段が前記商品識別情報を読み取ったことに応じて起動される撮像手段と、前記撮像手段によって撮像された画像情報を前記商品識別情報と対応付けて記憶する第１記憶手段と、前記商品識別情報と対応付けて前記商品に関する商品情報を更新可能に記憶する第２記憶手段と、前記第１及び第２の記憶手段と電気的に接続され、情報処理端末からの前記画像情報の取得要求に応じて、前記画像情報と当該画像情報に対応する商品識別情報と対応付けられた商品情報とを前記情報処理端末に送信する送信手段と、を含む。
【発明の効果】
【０００７】
このように、本発明の一態様によれば、撮影した画像を、更新された商品情報と関連付けて管理する画像管理システムを提供することができる。
【図面の簡単な説明】
【０００８】
【図１】本発明の一実施形態を概略的に示すネットワーク構成図
【図２】本発明の一実施形態における店舗システムの機能を概略的に示すブロック図
【図３】本発明の一実施形態における店舗システムの設置状態を示す模式図
【図４】本発明の一実施形態における商品情報管理テーブルの概略構成を示す図
【図５】本発明の一実施形態における情報配信サーバ装置のアーキテクチャを概略的に示すブロック図
【図６】本発明の一実施形態における画像情報のアップロード処理を示すフロー図
【図７】本発明の一実施形態における画像情報及び商品情報の配信手順を示すフロー図
【図８】本発明の一実施形態における画像情報及び商品情報の画面表示例
【図９】本発明の一実施形態における店舗システムの設置状態を示す模式図
【発明を実施するための形態】
【０００９】
以下、図面を適宜参照して本発明の実施形態を説明する。図１は本発明の一実施形態を概略的に示すネットワーク構成図である。同図に示すように、通信網１０６には、通信機能を備える複数の情報処理端末１０２ａ、１０２ｂ、及び１０２ｃ（以下、「情報処理端末１０２」と総称することがあると）、商品情報を管理する商品情報サーバ装置１０４と、小売店の店舗等に設置される店舗システム１０８と、及び情報配信サーバ装置１１０とが、互いに通信可能に接続されている。情報処理端末１０２は、ブラウザを備えており、情報配信サーバ装置１１０等から取得したＨＴＭＬファイル等を解析してディスプレイに表示することができる。
【００１０】
図２は、本発明の一実施形態における店舗システムを概略的に示すブロック図である。同図に示すように、店舗システム１０８は、通信網１０６を介してデータを送受信する送受信機２０２と、試着された商品の画像等を撮影するデジタルカメラ等の撮像装置２０４と、商品に付されたＩＣタグから商品を識別する商品識別情報を読み取るリーダー２０６と、商品識別情報によって特定される商品に関する情報や撮像装置２０４によって撮像された画像を表示するディスプレイ２０８と、制御部２１０とを含む。これらの要素は互いに電気的に接続されている。
【００１１】
制御部２１０には、様々なプログラムに含まれる指令を実行するＣＰＵ（不図示）と、そのＣＰＵが実行するプログラムを格納するメインメモリ（不図示）とが含まれる。送受信機２０２は、ハードウェア、ファームウェア、又はＴＣＰ／ＩＰドライバやＰＰＰドライバ等の通信用ソフトウエア又はこれらの組み合わせとして実装され、通信網１０６を介して情報処理端末１０２、商品情報サーバ装置１０４、情報配信サーバ装置１１０と通信可能に構成される。
【００１２】
この店舗システム１０８は、例えば、図３に示すように洋服店の店舗内に設置される。図３は、本発明の一実施形態における店舗システムの設置状態を示す模式図である。同図に示すように、洋服店の店舗には商品である洋服３０２が陳列され、店舗内の一角に試着室３０４が設けられている。試着室３０４の壁には、撮像装置２０４及びリーダ２０６が搭載されたディスプレイ２０８が設置されており、この撮像装置２０４を用いて試着室３０４において撮影が行われる。撮像装置２０４及びリーダ２０６は、ディスプレイ２０８と一体又は別体に設けることができる。ディスプレイ２０８には，試着室の利用者が所持している携帯電話等の情報処理端末１０２と近距離無線通信を行う近距離無線通信装置（不図示）を設けてもよい。近距離無線通信は，例えば，赤外線通信，Ｆｅｌｉｃａ（登録商標）等の非接触型ＩＣカードを用いた通信，ブルートゥース（登録商標），ＺｉｇＢｅｅ等を含むがこれらに限られず，情報処理端末１０２と直接無線通信可能なあらゆる種類の無線通信を含む。この近距離無線通信装置は，ディスプレイ２０８と別体に設けられてもよい。距離無線通信装置は，図２に示される店舗システム１０８の各構成要素と電気的に接続されている。この近距離無線通信装置は情報処理端末１０２から，情報処理端末１０２のユーザが利用するメールアドレス等の情報を受信し，この受信した情報を後段の処理のために制御部２１０に送信することができる。なお，ディスプレイ２０８は，図９に示すように，店舗内の試着室３０４の外部に設置されてもよい。
【００１３】
商品３０６には、ＩＣタグ３０８が付されている。このＩＣタグ３０８は、当該商品３０６を識別する商品識別情報を、リーダー２０６によって読み取り可能に格納することができる。ＩＣタグ３０８には、当該商品３０６の価格、サイズ、色、製造メーカ、製造地等を表す販売管理情報も格納されている。この販売管理情報は、商品識別情報とともにリーダー２０６に読み取られる。このようにして読み取られた販売管理情報の少なくとも一部（例えば価格と商品名）をディスプレイ２０８に表示することで、利用客に商品に関する情報を提示することができる。ＩＣタグ３０８に代えて、１次元又は２次元のバーコードが印刷された紙製又は樹脂製のタグを用いることができる。このように、商品識別情報を商品３０６に付すために様々な手段を用いることができ、特定の商品に付された媒体または商品３０６自身に、当該商品３０６の商品識別情報が読み取り可能に付されていれば、本発明の実施形態に用いることができる。リーダー２０６は、商品識別情報の保持形式に応じて適宜変更される。例えば、商品識別情報がバーコードの形式で商品に付される場合には、リーダー２０６としてバーコードリーダを用いることができる。
【００１４】
撮像装置２０４は、一実施形態において、リーダー２０６が商品識別情報を読み取ったことに応じて起動されるように構成される。つまり、リーダー２０６が商品識別情報を読み取ったことが制御部２１０によって検知されると、制御部２１０の制御によって撮像装置２０４が起動され、撮像装置２０４を用いた撮影が可能となる。これにより、店舗の利用客は、商品３０６を試着室３０４に持ち込み（図９に示す実施形態では試着室３０４に持ち込む必要はない）、リーダー２０６にその商品３０６のＩＣタグ３０８をかざして商品識別情報を読み取らせることによって撮像装置２０４を起動することができる。そして、起動後に、撮像装置２０４を操作して、その商品３０６を試着した自らの姿を撮影することができる。このようにして撮影された画像は、ディスプレイ２０８に、他の情報とともに表示される。したがって、利用客は、ディスプレイ２０８に表示された自らの姿とともに、リーダーで読み取られた価格、製造地等の情報を見ることができる。
【００１５】
撮像装置２０４によって撮影された画像情報は、撮影装置２０４の起動に用いられた商品識別情報とともに情報配信サーバ装置１１０に送信される。後述するように、情報配信サーバ装置１１０は、受信した画像を、ともに受信した商品識別情報と対応付けて保存する。この画像情報及び商品識別情報とともに、設置されている店舗名等の店舗システム１０８の設置場所を示す情報及び／又は近距離無線装置によって情報処理端末１０２から取得されたメールアドレス等の情報処理端末１０２もしくは情報処理端末１０２のユーザに関する情報を情報配信サーバ装置１１０に送信することもできる。
【００１６】
商品情報は、商品情報サーバ装置１０４において管理される。図４は、本発明の一実施形態における商品情報管理テーブルの概略構成を示す図である。同図に示すように、本発明の一実施形態における商品情報管理テーブル４０２には、商品の識別情報と関連付けて、その商品の価格を表すデータ、在庫数を表すデータ、その商品を入手可能な店舗を表すデータ、その商品の宣伝広告のために準備された広告用動画像または静止画像を特定するデータ等が記憶される。一実施形態において、商品情報サーバ装置１０４は、商品情報管理テーブル４０２で管理される商品を製造又は販売する企業によって運営され、商品情報管理テーブル４０２に記憶されている商品情報は、この企業によって適宜最新の情報に更新される。例えば、各店舗における在庫の変動に応じて在庫数が更新され、バーゲン価格やキャンペーン価格の設定により価格が更新され、商品を都心の店舗から郊外のアウトレットモールに移動させる場合には入手可能店舗が更新される。図４に示す商品情報管理テーブル４０２は一例であり、本明細書において明示された以外にも、商品に関連する様々な情報が商品情報管理テーブル４０２において管理され、それらの情報は適宜更新される。
【００１７】
図５は、本発明の一実施形態における情報配信サーバ装置１１０のアーキテクチャを概略的に示すブロック図である。同図に示すように、情報配信サーバ装置１１０は、送受信機５０２と、ＣＰＵ５０４と、メインメモリ５０６と、ユーザＩ／Ｏ５０８と、外部メモリ５１０とを含む。これらの要素は、内部バスにより互いに電気的に接続されている。送受信機５０２は、送受信機２０２と同様に、ハードウェア、通信用ソフトウエア又はこれらの組み合わせとして実装され、通信網１０６を介して情報処理端末１０２、商品情報サーバ装置１０４、店舗システム１０８と通信可能に構成される。
【００１８】
ＣＰＵ５０４は、外部メモリ５１０からオペレーティングシステムやアプリケーションプログラム等のプログラムをメインメモリ５０６にロードし、ロードしたプログラムに含まれる指令を実行する。メインメモリ５０６は、ＣＰＵ５０４が実行するプログラムを格納するために用いられ、例えば、ＤＲＡＭによって構成される。ユーザＩ／Ｏ５０８は、例えば、オペレータの入力を受け付けるキーボードやマウス等の情報入力装置と、ＣＰＵ５０４の演算結果を出力する液晶ディスプレイ等の情報出力装置とを含む。外部メモリ５１０は、例えば磁気ディスクドライブで構成され、画像情報記憶部５１２及び商品情報記憶部５１４を含む。
【００１９】
画像情報記憶部５１２には、上述のように店舗システム１０８から送信された画像情報を、当該画像情報とともに送信された商品識別情報と対応付けて蓄積する。上述のように，画像情報とともに，店舗システム１０８の設置場所を示す情報及び／又はメールアドレス等の情報処理端末１０２もしくは情報処理端末１０２のユーザに関する情報が送信されることがある。この場合，画像情報記憶部５１２には，商品情報と対応付けて，その商品情報とともに送信された店舗システム１０８の設置場所を示す情報及び／又はメールアドレス等の情報処理端末１０２もしくは情報処理端末１０２のユーザに関する情報が記憶される。商品情報記憶部５１４には、商品識別情報に対応する商品情報が記憶される。この商品情報は、ＣＰＵ５０４の制御によって、送受信機５０２を介して商品情報サーバ装置１０４から取得される。商品情報は、定期的に、又はオペレータの指示等の所定のイベントを契機として商品情報サーバ装置１０４から再取得され、その再取得された情報に基づいて更新される。商品情報記憶部５１４に格納される商品情報は、本段落で明示された以外にも様々な方法で更新される。例えば、商品情報は、互いに異なる販売業者によって運用されている複数のサーバ装置から取得され、これらの商品情報が統一されたフォーマットで商品情報記憶部５１４に保持される。商品情報記憶部５１４に格納された情報をＨＴＭＬファイル形式で保持してもよい。情報配信サーバ装置１１０は、情報処理端末１０２からＨＴＴＰ等の公知のプロトコルに従った特定の画像情報の取得要求を受信する。画像情報の取得要求を受信すると、ＣＰＵ５０４の指令に従って画像情報を特定するとともに、画像情報記憶部５１２を参照して当該画像情報に対応する商品識別情報を特定し、続いて商品情報記憶部５１４を参照し、特定された商品識別情報に対応する商品情報を含むＨＴＭＬファイルを特定する。このようにして特定されたＨＴＭＬファイルに画像情報を埋め込んで、取得要求を送信した情報処理端末１０２へ送信する。なお、商品情報記憶部５１４に格納された商品情報と、情報処理端末１０２からの要求に応じて特定された画像情報とを含むＦｌａｓｈファイルを作成し、このＦｌａｓｈファイルを情報処理端末１０２へ送信するようにしてもよい。つまり、情報配信サーバ装置１１０は、取得要求があった画像情報と、その画像情報と共通の商品識別情報を有する商品情報とを情報処理端末１０２に送信することができる。同様に、情報配信サーバ装置１１０は、店舗システム１０８からの画像情報の取得要求に応じて、取得要求があった画像情報と、その画像情報と共通の商品識別情報を有する商品情報とを店舗システム１０８に送信することができる。他の実施形態において，情報処理端末１０２は，特定の画像情報の取得要求にメールアドレスを含めることができ，この取得要求を受信した情報配信サーバ装置１１０は、この情報処理端末１０２に対して要求された画像情報を電子メールの添付ファイルとして送信することができる。
【００２０】
情報配信サーバ装置１１０は、店舗システム１０８又は情報処理端末１０２に送信するデータを動的に生成することもできる。例えば、特定の商品識別情報に対応する情報の取得要求を契機として、取得が要求された商品識別情報に関連付けられた価格を記述する外部ファイルや、商品識別情報に対応する広告用のＦｌａｓｈファイルを呼び出してＨＴＭＬファイルに埋め込み、これらの外部ファイルが埋め込まれたＨＴＭＬファイルを店舗システム１０８に送信することができる。情報処理端末１０２又は店舗システム１０８では、受信したＨＴＭＬファイルをブラウザを用いて解析し、解析したデータを表示する。ＨＴＭＬファイルにＦｌａｓｈファイルが埋め込まれている場合には、Ｆｌａｓｈ再生用のプラグインソフトが制御部２１０によって起動され、当該Ｆｌａｓｈファイルがブラウザ内で再生される。これらの処理の結果、情報処理端末１０２又は店舗システム１０８では、最新の（更新された）商品情報を含む画面が表示され、広告用のＦｌａｓｈ動画が再生される。
【００２１】
図６及び図７を用いて、本発明の一実施形態における処理手順について説明する。図６は、本発明の一実施形態における画像情報のアップロード手順を示すフロー図である。図６によって説明される工程は、上述した装置及びシステムに含まれる要素の一部または全部を用いて実行される。図示された工程及び以下に詳述される工程は、単なる例示に過ぎず、限定的なものと解釈すべきではない。特に、各工程は図示されたものと異なるシーケンスで実行することが可能である。例えば、フロー図に示される工程に別の工程を追加して本発明の実施形態を実行してもよく、２つ以上の工程が同時に実行されてもよい。
【００２２】
まず、ステップ６０２において、本発明の一実施形態における画像情報のアップロード処理が開始される。ステップ６０４において、図３に示される洋服店の利用客は、任意に選択した商品３０６を試着室３０４に持ち込んで試着する。この利用客は、商品３０６に付されたＩＣタグ３０８の商品識別情報及び販売管理情報を、試着室３０４に備えられたリーダー２０６に読み取らせる。
【００２３】
制御部２１０は、リーダー２０６の動作を制御及び監視しており、商品識別情報がリーダー２０６によって読み取られたことを認識すると、ステップ６０６に進んで撮像装置２０４を起動する。利用客は、起動された撮像装置２０４を操作して、商品３０６を試着した自身の姿、又は、試着室３０４に持ち込んだ商品３０６を撮影する。撮像装置２０４により撮像された画像情報は、リーダー２０６によって読み込まれた販売管理情報とともにディスプレイ２０８に表示される。なお、図９に示すように、撮像装置２０４、リーダ２０６、及びディスプレイ２０８が試着室３０４の外に設置される場合には、試着室３０４に商品を持ち込まず、試着室３０４の外にある撮像装置２０４で撮像を行い、リーダ２０６で商品情報を読み取らせ、この読み取った情報を試着室３０４外にあるディスプレイ２０８に表示することができる。
【００２４】
店舗システム１０８は、撮像した画像に利用客の指示に応じて編集又は加工を加える機能を提供することができる。例えば、編集用素材を提供し、ユーザの選択に応じてその編集用素材を撮像した画像の所定位置に挿入する。編集用素材には、任意のマーク、キャラクター、文字が含まれる。画像が編集又は加工された場合には、その編集又は加工後の画像がディスプレイ２０８に表示される。また、撮像した画像に利用客の指示に応じて編集又は加工を加える機能は、情報配信サーバ１１０に備えられてもよい。この場合、画像情報を情報配信サーバ１１０にアップロードした後に情報処理端末１０２から情報配信サーバ１１０にアクセスして、アップロードした画像情報を編集又は加工することができる。加工された画像情報は、情報処理端末１０２で確認することができる。利用客は、このようにして、ディスプレイ２０８や情報処理端末１０２のディスプレイに表示された自らの姿や、商品の価格、販売地等の情報を確認することができる。
【００２５】
制御部２１０は、リーダー２０６によって読み取られた商品識別情報を含む情報取得要求を情報配信サーバ装置１１０送信し、情報配信サーバ装置１１０の商品情報記憶部５１４から、当該商品識別情報と対応付けて記憶されている商品情報を取得することができる。商品情報は、例えばＨＴＭＬファイルとして取得される。制御部２１０は、ブラウザを起動し、このブラウザの機能を用いて受信した商品情報をディスプレイ２０８に表示する。受信したＨＴＭＬファイルにＦｌａｓｈファイルが含まれる場合には、Ｆｌａｓｈファイルを再生可能なプラグインソフトが制御部２１０によって実行され、当該Ｆｌａｓｈファイルが再生される。
【００２６】
撮像装置２０４により得られた画像情報、又は、ユーザにより編集又は加工された画像情報は、ステップ６０８において、商品識別情報と対応付けられて情報配信サーバ装置１１０に送信される。画像情報は、制御部２１０の制御により、撮像装置２０４の起動に用いられた商品識別情報と対応付けられる。送信された商品識別情報及び画像情報は情報配信サーバ装置１１０に受信され、受信された画像情報は、共に受信された商品識別情報に対応付けられて画像情報記憶部５１２に記憶される。受信された画像情報が商品識別情報に対応付けられて画像情報記憶部５１２に記憶されると、ステップ６１２に進み、画像情報のアップロード処理が終了する。なお、情報配信サーバ装置１１０は、記憶される画像情報のそれぞれについて、当該画像情報のネットワーク上における場所を特定するＵＲＩ（Ｕｎｉｆｏｒｍ  Ｒｅｓｏｕｒｃｅ  Ｉｄｅｎｔｉｆｉｅｒ）を決定し、このＵＲＩを店舗システム１０８に送信することができる。店舗システム１０８は、このＵＲＩをディスプレイ２０８に表示して、ユーザに画像情報の保存先と通知する。店舗システム１０８は、このＵＲＩを文字列として表示することができ、この文字列とともに又は文字列に代えてＵＲＩをＱＲコード（登録商標）等の２次元バーコードに符号化し、このＵＲＩが符号化された２次元バーコードをディスプレイ２０８に表示してもよい。店舗システム１０８は、ＵＲＩを利用客の携帯電話等の情報通信端末に送信してもよい。利用客は、このようにして提示されたＵＲＩを用いて、情報配信サーバ装置１１０に保存された画像情報にアクセスすることができる。このＵＲＩは、電子メールで送信したり、ソーシャルネットワークサービスを利用して知人に通知したりすることができる。これにより、他人が当該ＵＲＩで特定される画像情報にアクセスすることを促すことができる。
【００２７】
図７は、本発明の一実施形態における画像情報の配信手順を示すフロー図である。まず、ステップ７０２において、本発明の一実施形態における画像情報の配信処理が開始されると、ステップ７０４において、情報処理端末１０２から、画像情報記憶部５１２に記憶された特定の画像情報の取得要求が送信される。例えば、情報処理端末１０２は、情報配信サーバ装置１１０が提供するウェブページのトップページや、入手したＵＲＩで特定される特定のウェブページにアクセスし、ユーザの操作に応じて当該トップページや当該特定のウェブページから配信用の画像へのリンクが含まれるページへ順次リンクを辿って移動する。そして、所望の画像情報へのリンクをブラウザの機能を用いて選択することにより、その画像情報の取得要求を情報配信サーバ装置１１０へ送信することができる。情報処理端末１０２のユーザは、情報配信サーバ装置１１０のトップページのアドレスを、様々な広告媒体や既存の検索エンジンを通じて知ることができる。
【００２８】
ステップ７０６では、特定の画像情報の取得要求が情報配信サーバ装置１１０において受信される。この取得要求は、例えば、ＨＴＴＰのＧＥＴメソッドを用いて送信されたものである。情報配信サーバ装置１１０では、この取得要求に応じて、当該画像情報を含むＨＴＭＬファイルが特定される。このＨＴＭＬファイルには、当該画像情報に対応する商品情報が商品情報記憶部５１４から読み出されて埋め込まれる。例えば、取得要求において特定された画像情報に対応する商品識別情報を画像情報記憶部５１２から取得し、その商品識別情報に対応する商品情報を商品情報記憶部５１４から読み出すことで、取得要求されている画像情報に対応する商品情報を読み出すことができる。この読み出された商品情報は、ステップ７０８において、取得要求のあった画像情報とともに情報処理端末１０２に配信される。商品情報は、画像情報とともに、ＨＴＭＬファイルに埋め込まれて配信されてもよく、ＨＴＭＬファイルとは別に電子メール等の方法で配信されてもよい。図８は、情報処理端末１０２における画像情報及び商品情報の画面表示例である。情報処理端末１０２のディスプレイ８０２に、配信された画像情報８０４及び商品情報８０６が表示される。
【００２９】
このようにして、本発明の一実施形態に係る情報処理端末１０２は、受信した画像情報及び更新された最新の商品情報を、他の情報とともに表示画面に表示することができる。画像情報又は最新の商品情報をＨＴＭＬファイル又はＦｌａｓｈファイルに埋め込んで送信する場合には、その商品情報に対応する商品を購入することができるオンライン購入サイトへのリンクを、当該ＨＴＭＬファイル又はＦｌａｓｈファイルに埋め込んでもよい。これにより、情報処理端末１０２のユーザに、当該商品の購入を促すことができる。情報処理端末１０２への配信が完了すると、ステップ７１０に進み、画像情報の配信処理を終了する。
【００３０】
以上説明したように、本実施形態によれば、店舗に設置される撮像装置２０４によって撮像された画像だけでなく、その画像に含まれる商品の更新された商品情報（最新の価格・在庫等）と関連付けて画像を管理することができる。この撮像装置２０４によって撮像された画像には、店舗システム１０８の通常の用法に従えば、商品３０６を試着した利用者の姿が含まれる。そして、この画像と商品情報とを情報通信端末１０２に送信することにより、情報通信端末１０２のユーザに対して、その商品を試着した画像と併せて当該商品に関する更新された情報（商品情報）を提供することができる。このようにして、情報通信端末１０２のユーザは、試着された商品の画像に加えて、その商品の最新の在庫数、入手可能店舗、キャンペーン価格等の情報を知ることができるので、当該商品の販売促進効果が見込まれる。また、試着室３０４の利用客自らも、店舗を去った後に、手軽に試着時の自らの姿とその試着した商品に関する最新の情報等を入手することができるので、同じように販売促進効果が見込まれる。
【００３１】
本明細書で説明される処理及び手順は、実施形態中で明示的に説明されたものに限定されず、ソフトウェア、ハードウェアまたはこれらの任意の組み合わせによって実現される。より具体的には、本明細書で説明される処理及び手順は、集積回路、揮発性メモリ、不揮発性メモリ、磁気ディスク、光ストレージ等の媒体に、当該処理に相当するロジックを実装することによって実現される。また、本明細書で説明される処理及び手順は各処理・手順をコンピュータプログラムとして実装し、各種のコンピュータに実行させることが可能である。
【００３２】
本明細書中で説明される処理及び手順が単一の装置、ソフトウエアまたはコンポーネントによって実行される旨が説明されたとしても、そのような処理または手順を複数の装置、ソフトウエアまたはコンポーネントによって実行することも可能である。また、本明細書中で説明されるデータ、テーブルまたはデータベースが単一のメモリに格納される旨説明されたとしても、そのようなデータ、テーブルまたはデータベースを単一の装置に備えられた複数のメモリまたは複数の装置に分散して配置された複数のメモリに分散して格納することが可能である。さらに、本明細書において説明されるソフトウェア及びハードウェアの要素は、より少ない構成要素によって、またはより多い構成要素によって実現することが可能である。
【００３３】
本明細書において、特定の機能がユーザまたは操作者による操作に応じて実行される旨説明されたとしても、かかる機能をコンピュータ装置によってデフォルト設定に従って自動的に実行することも可能である。
【００３４】
このように、本明細書に示された実施形態は、本発明の趣旨を逸脱しない範囲で様々な変更及び変形が可能である。
【符号の説明】
【００３５】
１０２  情報処理端末
１０４  商品情報サーバ装置
１０８  店舗システム
１１０  情報配信サーバ装置
２０４  撮像装置
２０６  リーダー
２０８  ディスプレイ
５１２  画像情報記憶部
５１４  商品情報記憶部
【図１】
2012113583.tif 000003
【図２】
2012113583.tif 000004
【図３】
2012113583.tif 000005
【図４】
2012113583.tif 000006
【図５】
2012113583.tif 000007
【図６】
2012113583.tif 000008
【図７】
2012113583.tif 000009
【図８】
2012113583.tif 000010
【図９】
2012113583.tif 000011